(57)【要約】【課題】バーコードを有さない請求書の電子決済を行うことを可能にする。【解決手段】情報端末装置１０は、請求書画像を取得する画像取得部２２と、請求書画像から請求元を示す識別情報を抽出する識別情報抽出部２４と、識別情報に対応する請求書の種類を判別する種類判別部２５と、種類判別部２５が判別した請求書の種類に対応する書式に基づいて、請求書画像において電子決済に関する文字画像が含まれる領域を特定する領域特定部２６と、当該領域中の文字を認識する文字認識部２７と、当該領域から電子決済に関する文字を抽出する決済情報抽出部２８と、電子決済に関する文字を表示部１２に表示させる表示制御部２９と、タッチパネル１３が決済の指示を受け付けた場合に、電子決済に関する文字を決済サーバー３０送信する通信部１４と、を備える。【選択図】図２
2020021458.tif 000002
【特許請求の範囲】
【請求項１】
ユーザーに対する請求書の画像である請求書画像を取得する画像取得部と、
前記画像取得部が取得した請求書画像から請求元を示す識別情報を抽出する識別情報抽出部と、
前記識別情報抽出部が抽出した識別情報に対応する請求書の種類を判別する種類判別部と、
請求書の種類ごとに各請求書の書式を予め記憶する書式記憶部と、
前記種類判別部が判別した請求書の種類に対応する書式を前記書式記憶部から読み出し、当該読み出した請求書の書式に基づいて、前記請求書画像において電子決済に関する文字画像が含まれる領域を特定する領域特定部と、
前記領域特定部が特定した前記領域中の文字を認識する文字認識部と、
表示部と、
前記文字認識部が文字認識した前記領域中の文字のうち電子決済に関する文字を抽出する決済情報抽出部と、
前記決済情報抽出部が抽出した電子決済に関する文字を前記表示部に表示させる表示制御部と、
前記表示部に表示された電子決済の内容についての決済の指示をユーザーから受け付ける操作部と、
前記操作部が前記決済の指示を受け付けた場合に、前記電子決済に関する文字を決済サーバーに送信する通信部と、を備える情報処理装置。
【請求項２】
ユーザーの認証情報と当該ユーザーの個人情報とを対応付けて予め記憶するユーザー情報記憶部と、
前記操作部に入力されたユーザー認証のための入力情報と、前記ユーザー情報記憶部に記憶された認証情報とが一致するか否かを判定するユーザー認証部と、を備え、
前記画像取得部は、前記ユーザー認証部にて一致と判定されると、前記請求書画像を取得する、請求項１に記載の情報処理装置。
【請求項３】
前記決済情報抽出部は、前記電子決済に関する文字として、前記文字認識部が文字認識した前記領域中の文字のうち、支払総額及び分割支払額の文字の少なくとも一方を抽出するとともに、前記ユーザー情報記憶部に記憶された当該ユーザーの個人情報から、少なくともユーザーが口座を有する銀行名、口座名義人及び口座番号の文字を取得する、請求項２に記載の情報処理装置。
【請求項４】
請求書を撮影する撮影部を備え、
前記画像取得部は、前記ユーザー認証部にて一致と判定されると、前記撮影部にて撮影された請求書画像を取得する、請求項２又は請求項３に記載の情報処理装置。
【請求項５】
前記通信部は、請求書画像を受信し、
前記画像取得部は、前記ユーザー認証部にて一致と判定されると、前記通信部にて受信された請求書画像を取得する、請求項２又は請求項３に記載の情報処理装置。
【請求項６】
前記識別情報抽出部は、前記画像取得部が取得した請求書画像をレイアウト解析する解析部と、前記解析部がレイアウト解析した前記請求書画像において識別情報を示す識別画像を含む識別画像領域を特定する識別画像領域特定部と、を備え、前記識別画像領域特定部が特定した識別画像領域を画像認識又は文字認識することにより識別画像が示す識別情報を抽出する、請求項１乃至請求項５のいずれか一つに記載の情報処理装置。
【請求項７】
ユーザーに対する請求書の画像である請求書画像を取得する画像取得ステップと、
前記画像取得ステップにて取得した請求書画像から請求元を示す識別情報を抽出する識別情報抽出ステップと、
前記識別情報抽出ステップにて抽出した識別情報に対応する請求書の種類を判別する種類判別ステップと、
請求書の種類ごとに各請求書の書式を予め記憶する書式記憶部から、前記種類判別ステップにて判別した請求書の種類に対応する書式を読み出し、当該読み出した請求書の書式に基づいて、前記請求書画像において電子決済に関する文字画像が含まれる領域を特定する領域特定ステップと、
前記領域特定ステップにて特定した前記領域中の文字を認識する文字認識ステップと、
前記文字認識ステップにて文字認識した前記領域中の文字のうち電子決済に関する文字を抽出する決済情報抽出ステップと、
前記決済情報抽出ステップにて抽出した電子決済に関する文字を表示部に表示させる表示制御ステップと、
前記表示部に表示された電子決済の内容についての決済の指示をユーザーから受け付ける操作ステップと、
前記操作ステップにて前記決済の指示を受け付けた場合に、前記電子決済に関する文字を決済サーバーに送信する通信ステップと、を備える情報処理方法。
【請求項８】
情報処理装置と決済サーバーとがネットワークを介して通信可能な情報処理システムであって、
前記情報処理装置は、
ユーザーに対する請求書の画像である請求書画像を取得する画像取得部と、
前記画像取得部が取得した請求書画像から請求元を示す識別情報を抽出する識別情報抽出部と、
前記識別情報抽出部が抽出した識別情報を前記決済サーバーに送信する通信部と、を備え、
前記決済サーバーは、
前記通信部から受信した、前記識別情報抽出部が抽出した識別情報に対応する請求書の種類を判別する種類判別部と、
請求書の種類ごとに各請求書の書式を予め記憶する書式記憶部と、
前記種類判別部が判別した請求書の種類に対応する書式を前記書式記憶部から読み出し、当該読み出した請求書の書式に基づいて、前記請求書画像において電子決済に関する文字画像が含まれる領域を特定する領域特定部と、
前記領域特定部が特定した前記領域を前記情報処理装置に送信するサーバー通信部と、を備え、
前記情報処理装置は、
前記通信部が前記サーバー通信部から受信した前記領域について文字を認識する文字認識部と、
表示部と、
前記文字認識部が文字認識した前記領域中の文字のうち電子決済に関する文字を抽出する決済情報抽出部と、
前記決済情報抽出部が抽出した電子決済に関する文字を前記表示部に表示させる表示制御部と、
前記表示部に表示された電子決済の内容についての決済の指示をユーザーから受け付ける操作部と、を更に備え、
前記通信部は、前記操作部が前記決済の指示を受け付けた場合に、前記電子決済に関する文字を前記決済サーバーに送信し、
前記決済サーバーは、前記サーバー通信部が受信した前記通信部からの前記電子決済に関する文字情報に基づいて電子決済を行う、情報処理システム。
【発明の詳細な説明】
【技術分野】
【０００１】
本発明は、情報処理装置、情報処理方法および情報処理システムに関し、特に、取得した請求書画像を画像処理して電子決済に関する情報を抽出して決済サーバーに出力し、決済サーバーにて電子決済を実行させるための技術に関する。
【背景技術】
【０００２】
特許文献１には、携帯電話とアプリケーションサーバーと決済サーバーとを備えるシステムにおいて、携帯電話が請求書のバーコードを読み取って解読し、バーコードの解読データをアプリケーションサーバーに送信し、アプリケーションサーバーがバーコードの解読データから決済を実行するための情報を生成して決済サーバーに送信し、決済サーバーにおける決済処理の結果を携帯電話及びアプリケーションサーバーに返すことで、クレジットカードの電子決済を行うことが開示されている。
【先行技術文献】
【特許文献】
【０００３】
【特許文献１】特開２００７−３２３６１３号公報
【発明の概要】
【発明が解決しようとする課題】
【０００４】
しかしながら、特許文献１に記載のシステムでは、バーコード付き請求書の当該バーコードを読み取る必要があり、バーコードを有さない請求書については電子決済を行うことができない。
【０００５】
本発明は、上記の事情に鑑みなされたものであり、バーコードを有さない請求書の電子決済を行うことを可能にすることを目的とする。
【課題を解決するための手段】
【０００６】
本発明の一局面にかかる情報処理装置は、ユーザーに対する請求書の画像である請求書画像を取得する画像取得部と、前記画像取得部が取得した請求書画像から請求元を示す識別情報を抽出する識別情報抽出部と、前記識別情報抽出部が抽出した識別情報に対応する請求書の種類を判別する種類判別部と、請求書の種類ごとに各請求書の書式を予め記憶する書式記憶部と、前記種類判別部が判別した請求書の種類に対応する書式を前記書式記憶部から読み出し、当該読み出した請求書の書式に基づいて、前記請求書画像において電子決済に関する文字画像が含まれる領域を特定する領域特定部と、前記領域特定部が特定した前記領域中の文字を認識する文字認識部と、表示部と、前記文字認識部が文字認識した前記領域中の文字のうち電子決済に関する文字を抽出する決済情報抽出部と、前記決済情報抽出部が抽出した電子決済に関する文字を前記表示部に表示させる表示制御部と、前記表示部に表示された電子決済の内容についての決済の指示をユーザーから受け付ける操作部と、前記操作部が前記決済の指示を受け付けた場合に、前記電子決済に関する文字を決済サーバーに送信する通信部と、を備えるものである。
【０００７】
また、本発明の別の一局面にかかる情報処理方法は、ユーザーに対する請求書の画像である請求書画像を取得する画像取得ステップと、前記画像取得ステップにて取得した請求書画像から請求元を示す識別情報を抽出する識別情報抽出ステップと、前記識別情報抽出ステップにて抽出した識別情報に対応する請求書の種類を判別する種類判別ステップと、請求書の種類ごとに各請求書の書式を予め記憶する書式記憶部から、前記種類判別ステップにて判別した請求書の種類に対応する書式を読み出し、当該読み出した請求書の書式に基づいて、前記請求書画像において電子決済に関する文字画像が含まれる領域を特定する領域特定ステップと、前記領域特定ステップにて特定した前記領域中の文字を認識する文字認識ステップと、前記文字認識ステップにて文字認識した前記領域中の文字のうち電子決済に関する文字を抽出する決済情報抽出ステップと、前記決済情報抽出ステップにて抽出した電子決済に関する文字を表示部に表示させる表示制御ステップと、前記表示部に表示された電子決済の内容についての決済の指示をユーザーから受け付ける操作ステップと、前記操作ステップにて前記決済の指示を受け付けた場合に、前記電子決済に関する文字を決済サーバーに送信する通信ステップと、を備えるものである。
【０００８】
また、本発明の更に別の一局面にかかる情報処理システムは、情報処理装置と決済サーバーとがネットワークを介して通信可能な情報処理システムであって、前記情報処理装置は、請求書画像を取得する画像取得部と、ユーザーに対する請求書の画像である請求書画像を取得する画像取得部と、前記画像取得部が取得した請求書画像から請求元を示す識別情報を抽出する識別情報抽出部と、前記識別情報抽出部が抽出した識別情報を前記決済サーバーに送信する通信部と、を備え、前記決済サーバーは、前記通信部から受信した、前記識別情報抽出部が抽出した識別情報に対応する請求書の種類を判別する種類判別部と、請求書の種類ごとに各請求書の書式を予め記憶する書式記憶部と、前記種類判別部が判別した請求書の種類に対応する書式を前記書式記憶部から読み出し、当該読み出した請求書の書式に基づいて、前記請求書画像において電子決済に関する文字画像が含まれる領域を特定する領域特定部と、前記領域特定部が特定した前記領域を前記情報処理装置に送信するサーバー通信部と、を備え、前記情報処理装置は、前記通信部が前記サーバー通信部から受信した前記領域について文字を認識する文字認識部と、表示部と、前記文字認識部が文字認識した前記領域中の文字のうち電子決済に関する文字を抽出する決済情報抽出部と、前記決済情報抽出部が抽出した電子決済に関する文字を前記表示部に表示させる表示制御部と、前記表示部に表示された電子決済の内容についての決済の指示をユーザーから受け付ける操作部と、を更に備え、前記通信部は、前記操作部が前記決済の指示を受け付けた場合に、前記電子決済に関する文字を前記決済サーバーに送信し、前記決済サーバーは、前記サーバー通信部が受信した前記通信部からの前記電子決済に関する文字情報に基づいて電子決済を行う、ものである。
【発明の効果】
【０００９】
本発明によれば、バーコードを有さない請求書の電子決済を行うことができる。また、各種の請求書画像から電子決済に関する文字を生成して送信できるので、各種の請求書について電子決済を行うことができ、利便性を向上させることができる。
【図面の簡単な説明】
【００１０】
【図１】本発明の一実施形態にかかる情報処理装置の一例である情報端末装置の正面図である。
【図２】第１実施形態の情報処理システムにおける情報端末装置の内部構成を示すブロック図である。
【図３】識別情報と請求書の種類との対応関係記憶テーブルの一例を示す図である。
【図４】第１実施形態の電子決済処理の一例を示すフローチャートである。
【図５】（Ａ）は請求書画像の一例を示す図、（Ｂ）は抽出された電子決済に関する文字が表示部に表示された情報端末装置の一例を示す図である。
【図６】（Ａ）は請求書画像中の電子決済に関する文字画像の一例を示す図、（Ｂ）は請求書画像中の識別画像の抽出例を示す図である。
【図７】第２実施形態の情報処理システムにおける情報端末装置及び決済サーバーの内部構成を示すブロック図である。
【発明を実施するための形態】
【００１１】
以下、本発明の実施形態の情報処理装置および情報処理システムについて図面を参照して詳細に説明する。
【００１２】
図１は、本発明の一実施形態にかかる情報処理装置の一例である情報端末装置の正面図である。図２は、第１実施形態の情報処理システムにおける情報端末装置の内部構成を示すブロック図である。
【００１３】
第１実施形態の情報処理システム１は、情報端末装置１０と、決済サーバー３０とを備える。情報端末装置１０及び決済サーバー３０が、ネットワークを介してそれぞれ通信可能に接続されている。
【００１４】
なお、情報端末装置１０には、決済サーバー３０が提供する電子決済アプリケーションがインストールされている。情報端末装置１０は、電子決済アプリケーションを実行することにより、請求書画像から電子決済に関する文字を生成して決済サーバー３０に送信する機能、決済サーバー３０から電子決済の結果を受信する機能などが構築される。
【００１５】
決済サーバー３０は、電子決済アプリケーションを情報端末装置１０に提供し、この電子決済アプリケーションを実行する情報端末装置１０に対して電子決済サービスを提供し、電子決済を行うサーバーである。例えば、決済サーバー３０は、銀行・郵便貯金による決済、クレジットカードによる決済、電子マネーによる決済などを実行する。
【００１６】
情報端末装置１０は、例えば、タブレット型コンピューターなどの携帯端末装置であって、制御ユニット１１と、表示部１２と、タッチパネル１３と、通信部１４と、記憶部１５と、撮影部１６とを備えている。これらの構成要素は、互いにバスを通じてデータ又は信号の送受信が可能とされている。
【００１７】
表示部１２は、液晶ディスプレイ（ＬＣＤ：Liquid Crystal Display）や有機ＥＬ（ＯＬＥＤ：Organic Light-Emitting Diode）などから構成される。
【００１８】
タッチパネル１３は、所謂抵抗膜方式や静電容量方式等のタッチパネルである。タッチパネル１３は、表示部１２の画面に配置され、表示部１２の画面に対する指などの接触をその接触位置と共に検知する。タッチパネル１３は、指などの接触を検知すると、その接触位置の座標を示す検知信号を制御ユニット１１の制御部２１などに出力する。従って、タッチパネル１３は、表示部１２の画面に対するユーザー操作が入力される操作部としての役割を果たす。
【００１９】
また、情報端末装置１０は、ユーザー操作が入力される操作部として、上記のタッチパネル１３に加えてハードキーを備えてもよい。
【００２０】
通信部１４は、不図示のＬＡＮチップなどの通信モジュールを備える通信インターフェイスである。通信部１４は、メールによる通信機能、決済サーバー３０との通信機能など各種の通信機能を有する。通信部１４は、例えば、メールに添付されたＰＤＦ（Portable Document Format）での請求書画像を受信することが可能である。
【００２１】
記憶部１５は、大容量のＳＳＤ（Solid State Drive）、ＨＤＤ（Hard Disk Drive）などからなり、各種のデータやプログラムを記憶している。また、記憶部１５は、ユーザー情報記憶部１５１、識別情報記憶部１５２、及び書式記憶部１５３を備える。
【００２２】
ユーザー情報記憶部１５１は、ユーザーの認証情報と当該ユーザーの個人情報とを対応付けて予め記憶する。ユーザーの認証情報は、情報端末装置１０にて開始される電子決済アプリケーションの正規の有資格者としてログインするために必要なユーザー固有の識別コードとしてのユーザーＩＤ（ログイン名）と、パスワードとで構成される。また、ユーザーの個人情報は、ユーザーによって予め登録された個人情報であって、当該ユーザーが口座を有する銀行名（例えば、ＸＹＺ銀行）の文字、口座名義人の文字、口座番号の文字、当該ユーザーの携帯電話番号の文字などが含まれる。
【００２３】
識別情報記憶部１５２は、銀行、クレジット会社などの請求元を示す識別情報を予め記憶する。例えば、識別情報記憶部１５２は、図３に示すように、請求元を示す識別情報として、各社のロゴマークＬ１、Ｌ２、Ｌ３、Ｌ４などが記憶されるとともに、各社のロゴマークＬ１、Ｌ２、Ｌ３、Ｌ４と、各ロゴマークが示す請求元である会社とが対応付けて記憶されている。例えば、ロゴマークＬ１はＡ社（具体的には、Ａ社はＡＢＣ銀行である）を示し、ロゴマークＬ２はＢ社を示す。
【００２４】
例えば、ロゴマークＬ１は、後述する図５（Ｂ）に示すように、会社名（ここではＡＢＣ銀行名）を通常の文字による社名ロゴＬ１１、会社（ここではＡＢＣ銀行）を象徴するシンボルマークＬ１２を含む。なお、識別情報としては、ロゴマークに限定されるものではなく、シンボルマーク、社名ロゴ、会社名を図案化した文字によるシンボルロゴの少なくとも１つを備えるものであってもよい。
【００２５】
書式記憶部１５３は、請求書の種類ごとに各請求書の書式を予め記憶する。例えば、請求書の種類は、請求元である会社ごとに異なる。書式記憶部１５３は、図３に示すように、請求元である会社ごとの請求書の書式をそれぞれ記憶している。書式記憶部１５３は、Ａ社（ＡＢＣ銀行）の請求書の書式Ａ１、Ｂ社の請求書の書式Ｂ１、Ｃ社の請求書の書式Ｃ１、Ｄ社の請求書の書式Ｄ１を記憶している。
【００２６】
撮影部１６は、例えばカメラである。撮影部１６は、ユーザーによる操作に従って当該ユーザーに対する請求書を撮影する。
【００２７】
制御ユニット１１は、プロセッサー、ＲＡＭ(Random Access Memory）、及びＲＯＭ（Read Only Memory）などから構成される。プロセッサーは、ＣＰＵ（Central Processing Unit）、ＭＰＵ、又はＡＳＩＣ等である。この制御ユニット１１は、上記のＲＯＭ又は記憶部１５に記憶された制御プログラムが上記プロセッサーで実行されることにより、制御部２１、画像取得部２２、ユーザー認証部２３、識別情報抽出部２４、種類判別部２５、領域特定部２６、文字認識部２７、決済情報抽出部２８、表示制御部２９として機能する。なお、制御ユニット１１の上記の各構成要素は、前述の制御プログラムに基づく動作によらず、それぞれハード回路により構成されてもよい。
【００２８】
制御部２１は、情報端末装置１０の全体的な動作制御を司る。また、制御部２１は、表示部１２、タッチパネル１３、通信部１４、記憶部１５および撮影部１６などと接続されており、上記各構成要素の動作制御や、各構成要素との間での信号またはデータの送受信を行う。
【００２９】
また、制御部２１は、タッチパネル１３から出力される検知信号に基づき、ユーザーにより入力されたユーザー操作を特定する。例えば、ユーザー操作としては、タッチ操作（タップ操作）などがある。そして、制御部２１は、特定したユーザー操作に応じた制御を行う。例えば、図１に示す表示部１２の画面に表示された電子決済アプリケーションを示すアイコン（画像表示）１２１に対して、ユーザーがタッチ操作を行うと、タッチパネル１３によるタッチ機能により、その接触位置の座標を示し且つタッチ操作を示す検出信号が制御部２１に出力され、制御部２１は、かかる検出信号に基づいて、電子決済アプリケーションを起動する。この電子決済アプリケーションに従って操作等を行うことにより、請求書画像から電子決済に関する文字を生成して送信することが可能となっている。詳細については後述する。
【００３０】
ユーザー認証部２３は、タッチパネル１３に入力されたユーザー認証のための入力情報と、ユーザー情報記憶部１５１に記憶された認証情報とが一致するか否かを判定する。具体的には、表示制御部２９は、制御部２１が実行する電子決済アプリケーションの開始の際に、ユーザーに対して、ユーザーＩＤ（ログイン名）とパスワードとの入力を促す画面表示を表示部１２に表示させ、情報端末装置１０は入力情報の入力待ち状態となる。ユーザー認証部２３は、ユーザー認証のための入力情報がタッチパネル１３に入力されると、当該入力情報と、ユーザー情報記憶部１５１に記憶された認証情報とが一致するか否かを判定する。
【００３１】
画像取得部２２は、ユーザーに対する請求書の画像である請求書画像を取得する。画像取得部２２は、ユーザー認証部２３にて一致と判定されると、撮影部１６にて撮影された請求書画像、又は、通信部１４が受信したメールに添付された請求書画像を取得する。
【００３２】
具体的には、撮影部１６は、ユーザー認証部２３にて一致と判定されると、ユーザーに対する請求書の撮影が可能となる。そして、撮影部１６は、ユーザーによる操作に従って当該ユーザーに対する請求書を撮影する。そして、画像取得部２２は、撮影部１６が撮影した請求書画像を取得し、記憶部１５に記憶させる。また、画像取得部２２は、ユーザー認証部２３にて一致と判定されると、通信部１４が受信したメールに請求書画像が添付されている場合に当該請求書画像を取得し、記憶部１５に記憶させる。
【００３３】
識別情報抽出部２４は、画像取得部２２が取得した請求書画像から請求元を示す識別情報を抽出する。例えば、識別情報抽出部２４は、図２に示すように、画像取得部２２が取得した請求書画像をレイアウト解析する解析部２４１と、解析部２４１がレイアウト解析した請求書画像において識別情報を示す識別画像を含む識別画像領域を特定する識別画像領域特定部２４２と、を備える。識別情報抽出部２４は、識別画像領域特定部２４２が特定した識別画像領域を画像認識又は文字認識することにより識別画像が示す識別情報を抽出する。
【００３４】
解析部２４１は、図５（Ａ）に示す請求書画像Ｇ１をレイアウト解析する。識別画像領域特定部２４２は、解析部２４１がレイアウト解析した図５（Ｂ）に示す請求書画像において、識別情報を示す識別画像（ロゴマークＬ１を構成する社名ロゴＬ１１及びシンボルマークＬ１２）を含む識別画像領域Ｔ１を特定する。そして、識別情報抽出部２４は、識別画像領域特定部２４２が特定した識別画像領域Ｔ１を画像認識又は文字認識することにより、識別画像（社名ロゴＬ１１及びシンボルマークＬ１２）が示す識別情報（ＡＢＣ銀行、そのシンボルマーク）を抽出する。なお本実施形態では、社名ロゴＬ１１及びシンボルマークＬ１２の全てを抽出しているが、これらは同一の会社を示すものであるため、その何れか一つを抽出するとしてもよい。この場合でも、請求書の請求元、つまり会社を特定することができる。
【００３５】
種類判別部２５は、識別情報抽出部２４が抽出した識別情報に対応する請求書の種類を判別する。対応関係記憶テーブルには、図３に示すように、識別情報と会社名と請求書の種類とが予め対応付けて記憶されている。具体的には、種類判別部２５は、図３に示す対応関係記憶テーブルを用いて、識別情報抽出部２４が抽出した識別情報がロゴマークＬ１ある場合には、このロゴマークＬ１がＡ社（ＡＢＣ銀行）を示すものであること、及び、Ａ社（ＡＢＣ銀行）に対応する請求書の種類が書式Ａ１であることを判別する。
【００３６】
領域特定部２６は、種類判別部２５が判別した請求書の種類に対応する書式を書式記憶部１５３から読み出し、当該読み出した請求書の書式に基づいて、請求書画像において電子決済に関する文字画像が含まれる領域を特定する。例えば、領域特定部２６は、種類判別部２５が判別した請求書の種類に対応する書式が図３に示す書式Ａ１である場合に、Ａ社（ＡＢＣ銀行）の請求書の書式Ａ１を書式記憶部１５３から読み出す。そして、領域特定部２６は、当該読み出した請求書の書式Ａ１に基づいて、後述する図６（Ａ）に示すように請求書画像Ｇ１において電子決済に関する文字画像が含まれる領域Ｔ２を特定する。なお、書式Ａ１には、請求書画像Ｇ１における領域Ｔ２の配置情報が含まれている。このため、領域特定部２６は、請求書の書式Ａ１に含まれる配置情報を用いて、請求書画像Ｇ１における領域Ｔ２を特定する。
【００３７】
文字認識部２７は、領域特定部２６が特定した前記領域（つまり、電子決済に関する文字画像が含まれる領域）中の文字を認識する。例えば、文字認識部２７は、図６（Ａ）に示す領域Ｔ２について、既知のＯＣＲ（光学的文字認識）処理を行うことにより、領域Ｔ２中の文字を認識する。
【００３８】
決済情報抽出部２８は、文字認識部２７が文字認識した前記領域中の文字のうち電子決済に関する文字を抽出する。例えば、決済情報抽出部２８は、図６（Ａ）に示すように、文字認識部２７が文字認識した領域Ｔ２中の文字のうち、電子決済に関する文字としての、請求元が口座を有する銀行（つまり支払先）の口座名義人及び口座番号を示す文字Ｔ２１、支払期日の名称およびその期日を示す文字Ｔ２２、支払総額の名称およびその額を示す文字Ｔ２３、分割支払額の一例である分割支払最低額の名称およびその額を示す文字Ｔ２４をそれぞれ抽出する。
【００３９】
また、決済情報抽出部２８は、ユーザー情報記憶部１５１に記憶された当該ユーザーの個人情報から、少なくともユーザーが口座を有する銀行（例えば、ＸＹＺ銀行）名の文字Ｐ１０、口座名義人の文字Ｐ１１及び口座番号の文字Ｐ１３を取得する。本実施形態では、決済情報抽出部２８は、ユーザー情報記憶部１５１に記憶された当該ユーザーの個人情報から、更に、当該ユーザーの携帯電話番号の文字Ｐ１２も取得する。
【００４０】
表示制御部２９は、制御部２１による制御の下、表示部１２の表示動作を制御する。また、表示制御部２９は、決済情報抽出部２８が抽出した電子決済に関する文字を表示部１２に表示させる。例えば、表示制御部２９は、図６（Ｂ）に示すように、決済情報抽出部２８が抽出した電子決済に関する文字として、請求元が口座を有する銀行の口座名義人及び口座番号を示す文字Ｔ２１、支払期日の名称およびその期日を示す文字Ｔ２２、支払総額の名称およびその額を示す文字Ｔ２３、分割支払最低額の名称およびその額を示す文字Ｔ２４を表示部１２に表示させる。また、表示制御部２９は、図６（Ｂ）に示すように、ユーザー情報記憶部１５１に記憶された当該ユーザーの個人情報として、決済情報抽出部２８が取得した当該ユーザーの銀行名の文字Ｐ１０、当該ユーザーの口座名義人の文字Ｐ１１、当該ユーザーの携帯電話番号の文字Ｐ１２、当該ユーザーの口座番号の文字Ｐ１３を表示部１２に表示させる。
【００４１】
タッチパネル１３は、表示部１２に表示された電子決済の内容についての決済の指示をユーザーから受け付ける。
【００４２】
通信部１４は、タッチパネル１３が前記決済の指示を受け付けた場合に、前記電子決済に関する文字を決済サーバー３０に送信する。
【００４３】
決済サーバー３０は、受信した電子決済に関する文字に基づいて電子決済を行う。例えば、決済サーバー３０は、受信した電子決済に関する文字のうち、ユーザーが口座を有する銀行（例えば、ＸＹＺ銀行）名の文字Ｐ１０、口座名義人の文字Ｐ１１及び口座番号の文字Ｐ１３から、ユーザーの銀行名、口座名義人及び口座番号を特定する。また、決済サーバー３０は、請求元が口座を有する銀行の口座名義人及び口座番号を示す文字Ｔ２１から支払先の名称、支払先の口座名義人及び支払先の口座番号を特定し、支払総額の名称およびその額を示す文字Ｔ２３、又は、分割支払最低額の名称およびその額を示す文字Ｔ２４から支払額を特定し、支払期日の名称およびその期日を示す文字Ｔ２２から電子決済を行う日が期日内であることも確認する。決済サーバー３０は、ユーザーが口座を有する銀行（例えば、ＸＹＺ銀行）から、当該ユーザーが指定した支払額を引き出し、この引き出した支払額を請求元（例えば、ＡＢＣ銀行）に支払うという電子決済を行う。そして、決済サーバー３０は、電子決済の結果を情報端末装置１０の通信部１４に送信する。情報端末装置１０の表示制御部２９は、制御部２１による制御の下、通信部１４が受信した電子決済の結果を表示部１２に表示させる。
【００４４】
次に、第１実施形態の情報端末装置１０において、取得したユーザーの請求書画像から電子決済に関する文字を生成して送信する電子決済処理を、図４に示すフローチャートなどを参照して説明する。
【００４５】
まず、情報端末装置１０において、図１に示す表示部１２の電子決済アプリケーションを示すアイコン１２１がユーザーによりタッチ操作がされると、この操作がタッチパネル１３によるタッチ機能により検出され、制御部２１は、タッチパネル１３からの検出信号に基づいて電子決済アプリケーションを起動する（Ｓ１１）。
【００４６】
表示制御部２９は、制御部２１が実行する電子決済アプリケーションの開始の際に、ユーザーに対して、ユーザーＩＤ（ログイン名）とパスワードとの入力を促す画面表示を表示部１２に表示させ、情報端末装置１０は入力情報の入力待ち状態となる。ユーザー認証部２３は、ユーザー認証のための入力情報として、ユーザーＩＤ（ログイン名）及びパスワードがタッチパネル１３に入力されると、入力されたユーザーＩＤ（ログイン名）及びパスワードと、ユーザー情報記憶部１５１に記憶された認証情報である正規のユーザーＩＤ（ログイン名）及びパスワードとが一致するか否かを判定する（Ｓ１２：ユーザー認証ステップ）。
【００４７】
ユーザー認証部２３にて不一致と判定されると（Ｓ１２「Ｎｏ」）、制御部２１は本処理を終了させる。すなわち、制御部２１は、ユーザー本人のログインが確認されないため、請求書画像を取得することなく、電子決済処理を完結させることなく途中終了させる。
【００４８】
一方、画像取得部２２は、ユーザー認証部２３にて一致と判定されると（Ｓ１２「Ｙｅｓ」）、請求書画像を取得する（Ｓ１３：画像取得ステップ）。例えば、ユーザー認証部２３にて一致と判定されると（Ｓ１２「Ｙｅｓ」）、撮影部１６は、ユーザーに対する請求書の撮影が可能となる。そして、撮影部１６は、ユーザーによる操作に従って当該ユーザーに対する請求書を撮影する。そして、画像取得部２２は、撮影部１６が撮影した請求書画像を取得し、記憶部１５に記憶させる。ここでは、画像取得部２２は、撮影部１６による請求書の撮影により、図５（Ａ）に示す請求書画像Ｇ１を取得したとする。なお、撮影部１６による請求書画像の取得以外に、通信部１４による請求書画像の取得もあり得る。例えば、画像取得部２２は、ユーザー認証部２３にて一致と判定されると、通信部１４が受信したメールに請求書画像が添付されている場合には、当該請求書画像を取得する。
【００４９】
識別情報抽出部２４は、画像取得部２２が取得した請求書画像から請求元を示す識別情報を抽出する（Ｓ１４：識別情報抽出ステップ）。具体的には、識別情報抽出部２４の解析部２４１は、図５（Ａ）に示す請求書画像Ｇ１をレイアウト解析する。識別情報抽出部２４の識別画像領域特定部２４２は、解析部２４１がレイアウト解析した図５（Ｂ）に示す請求書画像において、識別情報を示す識別画像（社名ロゴＬ１１及びシンボルマークＬ１２）を含む識別画像領域Ｔ１を特定する。そして、識別情報抽出部２４は、識別画像領域特定部２４２が特定した識別画像領域Ｔ１を画像認識又は文字認識することにより、識別画像（社名ロゴＬ１１及びシンボルマークＬ１２）が示す識別情報（ＡＢＣ銀行、そのシンボルマーク）を抽出する。
【００５０】
例えば図５（Ｂ）に示すように識別情報抽出部２４が識別情報を抽出した場合（Ｓ１４「Ｙｅｓ」）には、種類判別部２５は、識別情報抽出部２４が抽出した識別情報に対応する請求書の種類を判別する（Ｓ１５：種類判別ステップ）。具体的には、種類判別部２５は、図３に示す対応関係記憶テーブルを用いて、識別情報抽出部２４が抽出した識別情報がロゴマークＬ１であり、このロゴマークＬ１がＡ社（ＡＢＣ銀行）であることから、Ａ社（ＡＢＣ銀行）に対応する請求書の種類が書式Ａ１であることを判別する。
【００５１】
一方、Ｓ１４において、識別情報抽出部２４が識別情報を抽出できなかった場合（Ｓ１４「Ｎｏ」）には、制御部２１は本処理を終了させる。すなわち、制御部２１は、識別情報抽出部２４にて識別情報を抽出できなかった場合には、請求書の種類を判別できないことから、電子決済処理を完結させることなく途中終了させる。
【００５２】
領域特定部２６は、種類判別部２５が判別した請求書の種類に対応する書式を書式記憶部１５３から読み出し、当該読み出した請求書の書式に基づいて、請求書画像において電子決済に関する文字画像が含まれる領域を特定する（Ｓ１６：領域特定ステップ）。例えば、領域特定部２６は、種類判別部２５が判別した請求書の種類に対応する書式が図３に示す書式Ａ１である場合に、Ａ社（ＡＢＣ銀行）の請求書の書式Ａ１を書式記憶部１５３から読み出す。そして、領域特定部２６は、当該読み出した請求書の書式Ａ１に基づいて、後述する図６（Ａ）に示すように請求書画像Ｇ１において電子決済に関する文字画像が含まれる領域Ｔ２を特定する。
【００５３】
文字認識部２７は、領域特定部２６が特定した前記領域（つまり、電子決済に関する文字画像が含まれる領域）中の文字を認識する（Ｓ１７：文字認識ステップ）。例えば、文字認識部２７は、図６（Ａ）に示す領域Ｔ２について、既知のＯＣＲ（光学的文字認識）処理を行うことにより、領域Ｔ２中の文字を認識する。
【００５４】
決済情報抽出部２８は、文字認識部２７が文字認識した前記領域中の文字のうち電子決済に関する文字を抽出する（Ｓ１８：決済情報抽出ステップ）。例えば、決済情報抽出部２８は、図６（Ａ）に示すように、文字認識部２７が文字認識した領域Ｔ２中の文字のうち、電子決済に関する文字としての、請求元が口座を有する銀行の口座名義人及び口座番号を示す文字Ｔ２１、支払期日の名称およびその期日を示す文字Ｔ２２、支払総額の名称およびその額を示す文字Ｔ２３、分割支払最低額の名称およびその額を示す文字Ｔ２４をそれぞれ抽出する。さらに、決済情報抽出部２８は、ユーザー情報記憶部１５１に記憶された当該ユーザーの個人情報から、ユーザーが口座を有する銀行（例えば、ＸＹＺ銀行）名の文字Ｐ１０、口座名義人の文字Ｐ１１、ユーザーの携帯電話番号の文字Ｐ１２及びユーザーの口座番号の文字Ｐ１３を取得する。
【００５５】
表示制御部２９は、決済情報抽出部２８が抽出した電子決済に関する文字を表示部１２に表示させる（Ｓ１９：表示制御ステップ）。例えば、表示制御部２９は、図６（Ｂ）に示すように、決済情報抽出部２８が抽出した電子決済に関する文字として、請求元が口座を有する銀行の口座名義人及び口座番号を示す文字Ｔ２１、支払期日の名称およびその期日を示す文字Ｔ２２、支払総額の名称およびその額を示す文字Ｔ２３、分割支払最低額の名称およびその額を示す文字Ｔ２４を表示部１２に表示させる。また、表示制御部２９は、図６（Ｂ）に示すように、ユーザー情報記憶部１５１に記憶された当該ユーザーの個人情報として、決済情報抽出部２８が取得した当該ユーザーの銀行名の文字Ｐ１０、口座名義人の文字Ｐ１１、当該ユーザーの携帯電話番号の文字Ｐ１２、当該ユーザーの口座番号の文字Ｐ１３を表示部１２に表示させる。
【００５６】
制御部２１は、電子決済指示の有無を判定する（Ｓ２０）。具体的には、制御部２１は、タッチパネル１３が、表示部１２に表示された電子決済の内容についての決済の指示をユーザーから受け付けたか否かを判定する。ユーザーが、図６（Ｂ）に示す「一括払い」を示すボタンＫ１又は「分割払い」を示すボタンＫ２をタッチ操作し、タッチパネル１３がボタンＫ１又はボタンＫ２へのタッチ操作を検出した場合、制御部２１は、タッチパネル１３からの検出信号に基づいて電子決済指示が有りと判定する。
【００５７】
一方、図６（Ｂ）に示す「キャンセル」を示すボタンＫ３をタッチ操作し、タッチパネル１３がボタンＫ３へのタッチ操作を検出した場合（Ｓ２０「Ｎｏ」）、制御部２１は、タッチパネル１３からの検出信号に基づいて、電子決済指示無しであると判定する。制御部２１は、本処理を終了させる。
【００５８】
なお、「後で再通知」を示すボタンＫ４をタッチ操作し、タッチパネル１３がボタンＫ４へのタッチ操作を検出した場合、制御部２１は、タッチパネル１３からの検出信号に基づいて電子決済指示の有無が一旦保留となったと判定する。
【００５９】
制御部２１は、タッチパネル１３が、表示部１２に表示された電子決済の内容についての決済の指示をユーザーから受け付けた場合（Ｓ２０「Ｙｅｓ」：操作ステップ）、すなわち、図６（Ｂ）に示すボタンＫ１又はボタンＫ２へのタッチ操作があった場合、通信部１４は、電子決済に関する文字を決済サーバー３０に送信する（Ｓ２１：通信ステップ）。
【００６０】
具体的には、通信部１４は、図６（Ｂ）に示す「一括払い」を示すボタンＫ１がタッチ操作された場合には、ユーザーが口座を有する銀行（例えば、ＸＹＺ銀行）名の文字Ｐ１０、口座名義人の文字Ｐ１１、口座番号の文字Ｐ１３、支払期日の名称およびその期日を示す文字Ｔ２２、及び、支払総額の名称およびその額を示す文字Ｔ２３を、少なくとも決済サーバー３０に送信する。なお、「分割払い」を示すボタンＫ２がタッチ操作された場合は、通信部１４は、前記送信内容のうち、前記文字Ｔ２３に替えて、分割支払最低額の名称およびその額を示す文字Ｔ２４とした内容を決済サーバー３０に送信する。
【００６１】
決済サーバー３０は、受信した電子決済に関する文字に基づいて電子決済を行う。例えば、決済サーバー３０は、ユーザーが口座を有する銀行から、当該ユーザーが指定した支払額を引き出し、この引き出した支払額を請求元に支払うという電子決済を行う。そして、決済サーバー３０は、電子決済の結果を情報端末装置１０の通信部１４に送信する。
【００６２】
情報端末装置１０の表示制御部２９は、制御部２１による制御の下、通信部１４が受信した電子決済の結果を表示部１２に表示させる（Ｓ２２）。制御部２１は、Ｓ２２のあと、本処理を終了させる。
【００６３】
このように第１実施形態では、識別情報抽出部２４は、画像取得部２２が取得した請求書画像から請求元を示す識別情報を抽出する。種類判別部２５は、識別情報抽出部２４が抽出した識別情報に対応する請求書の種類を判別する。領域特定部２６は、種類判別部２５が判別した請求書の種類に対応する書式を、請求書の種類ごとに各請求書の書式を予め記憶する書式記憶部１５３から読み出し、当該読み出した請求書の書式に基づいて、請求書画像において電子決済に関する文字画像が含まれる領域を特定する。文字認識部２７は、領域特定部２６が特定した領域中の文字を認識する。決済情報抽出部２８は、文字認識部２７が文字認識した領域中の文字のうち電子決済に関する文字を抽出する。表示制御部２９は、決済情報抽出部２８が抽出した電子決済に関する文字を表示部１２に表示させる。タッチパネル１３は、表示部１２に表示された電子決済の内容についての決済の指示をユーザーから受け付ける。通信部１４は、タッチパネル１３が決済の指示を受け付けた場合に、電子決済に関する文字を決済サーバー３０に送信する。このため、決済サーバー３０は、送信されてきた電子決済に関する文字に基づいて電子決済を行うことができる。よって、バーコードを有さない請求書の電子決済を行うことができる。また、各種の請求書画像から電子決済に関する文字を生成して送信できるので、各種の請求書について電子決済を行うことができ、利便性を向上させることができる。
【００６４】
また、ユーザー情報記憶部１５１は、ユーザーの認証情報と当該ユーザーの個人情報とを対応付けて予め記憶する。ユーザー認証部２３は、タッチパネル１３に入力されたユーザー認証のための入力情報と、ユーザー情報記憶部１５１に記憶された認証情報とが一致するか否かを判定する。画像取得部２２は、ユーザー認証部２３にて一致と判定されると、請求書画像を取得する。すなわち、ユーザー本人であることが確認された場合に限り、当該ユーザーに対する請求書画像が取得される。このため、ユーザー本人のみが電子決済の指示を行うことができ、電子決済の安全性を確保することができる。
【００６５】
また、決済情報抽出部２８は、電子決済に関する文字として、文字認識部２７が文字認識した領域中の文字のうち、支払総額及び分割支払額の文字の少なくとも一方を抽出するとともに、ユーザー情報記憶部１５１に記憶された当該ユーザーの個人情報から、少なくともユーザーが口座を有する銀行（例えば、ＸＹＺ銀行）名の文字Ｐ１０、口座名義人及び口座番号の文字を取得する。このため、ユーザーが、電子決済に関する文字、つまり、支払総額及び分割支払額の文字、ユーザーの銀行名、口座名義人及び口座番号の文字を入力する必要がない。したがって、電子決済についての誤入力を防止でき、安全性を確保することができる。
【００６６】
また、画像取得部２２は、ユーザー認証部２３にて一致と判定されると、撮影部１６にて撮影された請求書画像を取得する。すなわち、ユーザー本人であることが確認された場合に限り、当該ユーザーに対する請求書画像が取得される。このため、ユーザー本人のみが電子決済の指示を行うことができ、電子決済の安全性を確保することができる。
【００６７】
また、画像取得部２２は、ユーザー認証部２３にて一致と判定されると、通信部１４にて受信された請求書画像を取得する。すなわち、ユーザー本人であることが確認された場合に限り、当該ユーザーに対する請求書画像が取得される。このため、ユーザー本人のみが電子決済の指示を行うことができ、電子決済の安全性を確保することができる。
【００６８】
また、識別情報抽出部２４は、解析部２４１と識別画像領域特定部２４２とを備える。解析部２４１は、画像取得部２２が取得した請求書画像をレイアウト解析する。識別画像領域特定部２４２は、解析部２４１がレイアウト解析した請求書画像において識別情報を示す識別画像を含む識別画像領域を特定する。そして、識別情報抽出部２４は、識別画像領域特定部２４２が特定した識別画像領域を画像認識又は文字認識することにより識別画像が示す識別情報を抽出する。このため、請求書画像中の識別画像が存する箇所をユーザーが指定する必要がなく、請求書画像から識別情報を的確に抽出することができる。
【００６９】
次に、第２実施形態に係る情報処理システム１Ａについて、図７を用いて説明する。第２実施形態に係る情報処理システム１Ａは、前述した第１実施形態に係る情報端末装置１０が行っていた機能の一部を決済サーバー３０Ａが行う点が、前述の第１実施形態に係る情報処理システム１とは異なっている。
【００７０】
具体的には、第１実施形態に係る情報端末装置１０のユーザー認証部２３、種類判別部２５、及び領域特定部２６に替えて、決済サーバー３０Ａのサーバー制御ユニット３１１が、ユーザー認証部３２３、種類判別部３２５、領域特定部３２６を備え、第１実施形態に係る情報端末装置１０のユーザー情報記憶部１５１、識別情報記憶部１５２、及び書式記憶部１５３に替えて、決済サーバー３０Ａの記憶部３５０が、ユーザー情報記憶部３５１、識別情報記憶部３５２、及び書式記憶部３５３を備える。
【００７１】
第２実施形態の情報処理システム１Ａは、情報端末装置１０Ａと決済サーバー３０Ａとがネットワークを介して通信可能なシステムである。
【００７２】
決済サーバー３０Ａは、サーバー制御ユニット３１１を備える。
【００７３】
サーバー制御ユニット３１１は、プロセッサー、ＲＡＭ(Random Access Memory）、及びＲＯＭ（Read Only Memory）などから構成される。プロセッサーは、ＣＰＵ（Central Processing Unit）、ＭＰＵ、又はＡＳＩＣ等である。このサーバー制御ユニット３１１は、上記のＲＯＭ又は記憶部３５０に記憶されたサーバー制御プログラムが上記プロセッサーで実行されることにより、ユーザー認証部３２３、種類判別部３２５、及び領域特定部３２６として機能する。なお、サーバー制御ユニット３１１の上記の各構成要素は、前述のサーバー制御プログラムに基づく動作によらず、それぞれハード回路により構成されてもよい。
【００７４】
ユーザー認証部３２３は、情報端末装置１０Ａのタッチパネル１３に入力されて当該情報端末装置１０Ａから送信されてきたユーザー認証のための入力情報と、ユーザー情報記憶部３５１に記憶された認証情報とが一致するか否かを判定する。ユーザー認証部３２３にて一致と判定されると、当該認証一致の結果が、決済サーバー３０Ａのサーバー通信部３１４から情報端末装置１０Ａの通信部１４に送信される。そして、情報端末装置１０Ａでは、認証一致の結果の受信により、撮影部１６にてユーザーに対する請求書の撮影が可能となり、画像取得部２２にて、ユーザーに対する請求書の画像である請求書画像が取得される。
【００７５】
情報端末装置１０Ａは、画像取得部２２が取得した請求書画像から請求元を示す識別情報を抽出する識別情報抽出部２４と、識別情報抽出部２４が抽出した識別情報を前記決済サーバー３０Ａに送信する通信部１４と、を備える。
【００７６】
決済サーバー３０Ａは、通信部１４から受信した、識別情報抽出部２４が抽出した識別情報に対応する請求書の種類を判別する種類判別部３２５と、請求書の種類ごとに各請求書の書式を予め記憶する書式記憶部３５３と、種類判別部３２５が判別した請求書の種類に対応する書式を書式記憶部３５３から読み出し、当該読み出した請求書の書式に基づいて、請求書画像において電子決済に関する文字画像が含まれる領域を特定する領域特定部３２６と、領域特定部３２６が特定した前記領域を情報端末装置１０Ａに送信するサーバー通信部３１４と、を備える。
【００７７】
決済サーバー３０Ａの記憶部３５０は、ユーザー情報記憶部３５１、識別情報記憶部３５２、及び書式記憶部３５３を備える。ユーザー情報記憶部３５１は、ユーザーの認証情報と当該ユーザーの個人情報とを対応付けて予め記憶する。識別情報記憶部３５２は、銀行、クレジット会社などの請求元を示す識別情報を予め記憶する。書式記憶部３５３は、請求書の種類ごとに各請求書の書式を予め記憶する。
【００７８】
種類判別部３２５は、情報端末装置１０Ａから送信されてきた識別情報抽出部２４が抽出した識別情報をサーバー通信部３１４が受信すると、当該受信した識別情報に対応する請求書の種類を、識別情報記憶部３５２を用いて判別する。
【００７９】
領域特定部３２６は、種類判別部２５が判別した請求書の種類に対応する書式を書式記憶部３５３から読み出し、当該読み出した請求書の書式に基づいて、請求書画像において電子決済に関する文字画像が含まれる領域を特定する。
【００８０】
領域特定部３２６にて当該領域が特定されると、当該特定された領域を示す情報が、決済サーバー３０Ａのサーバー通信部３１４から情報端末装置１０Ａの通信部１４に送信される。
【００８１】
情報端末装置１０Ａは、通信部１４がサーバー通信部３１４から受信した前記領域について文字を認識する文字認識部２７と、表示部１２と、文字認識部２７が文字認識した前記領域中の文字のうち電子決済に関する文字を抽出する決済情報抽出部２８と、決済情報抽出部２８が抽出した電子決済に関する文字を表示部１２に表示させる表示制御部２９と、表示部１２に表示された電子決済の内容についての決済の指示をユーザーから受け付けるタッチパネル１３と、を更に備える。通信部１４は、タッチパネル１３が前記決済の指示を受け付けた場合に、前記電子決済に関する文字を決済サーバー３０Ａに送信する。
【００８２】
決済サーバー３０Ａは、サーバー通信部３１４が受信した通信部１４からの前記電子決済に関する文字に基づいて電子決済を行う。例えば、決済サーバー３０Ａは、ユーザーが口座を有する銀行から、当該ユーザーが指定した支払額を引き出し、この引き出した支払額を請求元に支払うという電子決済を行う。決済サーバー３０Ａは、電子決済の結果を情報端末装置１０Ａの通信部１４に送信する。
【００８３】
情報端末装置１０Ａの表示制御部２９は、制御部２１による制御の下、通信部１４が受信した電子決済の結果を表示部１２に表示させる。
【００８４】
このように第２実施形態でも、前述の第１実施形態の場合と同様に、バーコードを有さない請求書の電子決済を行うことができる。また、各種の請求書画像から電子決済に関する文字を生成して送信できるので、各種の請求書について電子決済を行うことができ、利便性を向上させることができる。
【００８５】
なお、上記各実施形態では、請求元である銀行（図５ではＡＢＣ銀行）からユーザーへの請求書を例に挙げて説明しているが、クレジット会社からユーザーへの請求書、商品販売店又は役務提供店などからユーザーへの請求書にも電子決済を行うことができる。
【符号の説明】
【００８６】
１、１Ａ    情報処理システム
１０、１０Ａ    情報端末装置
１１    制御ユニット
１２    表示部
１３    タッチパネル（操作部）
１５    記憶部
１６    撮影部
２１    制御部
２２    画像取得部
２３    ユーザー認証部
２４    識別情報抽出部
２５    種類判別部
２６    領域特定部
２７    文字認識部
２８    決済情報抽出部
２９    表示制御部
３０、３０Ａ    決済サーバー
１５１    ユーザー情報記憶部
１５２    識別情報記憶部
１５３    書式記憶部
２４１    解析部
２４２    識別画像領域特定部
３１４    サーバー通信部
３２３    ユーザー認証部
３２５    種類判別部
３２６    領域特定部
３５０    記憶部
３５１    ユーザー情報記憶部
３５２    識別情報記憶部
３５３    書式記憶部
【図１】
2020021458.tif 000003
【図２】
2020021458.tif 000004
【図３】
2020021458.tif 000005
【図４】
2020021458.tif 000006
【図５】
2020021458.tif 000007
【図６】
2020021458.tif 000008
【図７】
2020021458.tif 000009